(57)【特許請求の範囲】
【請求項１】
インターネットラジオのステーションを登録したステーションリストを備え、ステーションリストに登録されているステーションの内からユーザによって選択されたステーションから配信される楽曲を受信するインターネットラジオ受信装置を接続可能であって、接続された前記インターネットラジオ受信装置が受信した楽曲を出力するＡＶ装置であって、
インポートステーションリストを格納する格納手段と、
接続されているインターネットラジオ受信装置から、当該インターネットラジオ受信装置が保持しているステーションリストに登録されているステーションの識別を表す情報を、前記インポートステーションリストに読み込むステーション情報読込手段と、
前記インポートステーションリストに登録されている前記情報に基づいて、当該情報が識別を表すステーションを、接続されているインターネットラジオ受信装置が保持しているステーションリストに登録するステーション登録手段とを有し、
前記ステーション情報読込手段は、前記接続されているインターネットラジオ受信装置が保持しているステーションリストに登録されているステーションの一覧を表示し、当該表示した一覧中からのステーションの選択を受け付け、選択を受け付けたステーションの識別を表す情報を、前記インポートステーションリストに読み込むことを特徴とするＡＶ装置。
【請求項２】
請求項１記載のＡＶ装置であって、
前記ステーション登録手段は、前記インポートステーションリストに登録されている前記情報の一覧を表示し、当該表示した一覧中からの情報の選択を受け付け、選択を受け付けた情報が識別を表すステーションを、前記接続されているインターネットラジオ受信装置が保持しているステーションリストに登録することを特徴とするＡＶ装置。
【請求項３】
請求項１または２記載のＡＶ装置であって、
前記ステーションの識別を表す情報は、当該ステーションのステーション名であり、
前記ステーション登録手段は、前記接続されているインターネットラジオ受信装置が保持しているステーションリストへのステーションの登録を、当該インターネットラジオ受信装置に、前記インポートステーションリストに登録されているステーション名によるステーションの検索と、検索されたステーションの当該インターネットラジオ受信装置が保持している前記ステーションリストへの登録を実行させることにより行うことを特徴とするＡＶ装置。
【請求項４】
請求項３記載のＡＶ装置であって、
前記ステーション登録手段は、前記接続されているインターネットラジオ受信装置が実行したステーションの検索により検索されたステーションの一覧を表示し、当該表示した一覧中からステーションの選択を受け付け、当該インターネットラジオ受信装置に、選択を受け付けたステーションの、当該インターネットラジオ受信装置が保持している前記ステーションリストへの登録を実行させることを特徴とするＡＶ装置。
【請求項５】
コンピュータによって読み取られ実行されるコンピュータプログラムであって、
当該コンピュータプログラムは、前記コンピュータを請求項１、２、３または４記載のＡＶ装置として機能させることを特徴とするコンピュータプログラム。
【発明の詳細な説明】
【技術分野】
【０００１】
本発明は、インターネットラジオの受信を行うインターネットラジオ受信装置への、インターネットラジオのステーションの登録を支援する技術に関するものである。
【背景技術】
【０００２】
ストリーミング配信された楽曲をストリーミング再生するインターネットラジオ受信装置と、インターネットラジオ受信装置のユーザによって受信ステーションとして選択されたステーションに関連づけられた複数の楽曲を順次、インターネットを介して、当該インターネットラジオ受信装置にストリーミング配信するインターネットラジオサーバとよりなるインターネットラジオシステムが知られている（たとえば、特許文献１）。
【０００３】
また、このようなインターネットラジオシステムにおいて、インターネットラジオ受信装置において、ステーションのリストをステーションリストとして保持し、保持しているステーションリスト中のステーションの内から、受信ステーションとするステーションの選択をユーザから受け付ける技術も知られている（たとえば、特許文献２）。
【先行技術文献】
【特許文献】
【０００４】
【特許文献１】特開2010-278794公報
【特許文献２】特開2010-258926公報
【発明の概要】
【発明が解決しようとする課題】
【０００５】
さて、上述のようにインターネットラジオ受信装置において、ステーションのリストをステーションリストとして保持し、保持しているステーションリスト中のステーションの内から、受信ステーションとするステーションの選択をユーザから受け付ける場合に、あるインターネットラジオ受信装置が保持しているステーションリスト中のステーションを、他のインターネットラジオ受信装置が保持しているステーションリストにも登録したい場合がある。
【０００６】
しかしながら、一般的に、インターネットラジオ受信装置は、直接、相互に通信を行って、ステーションリスト中のステーションを直接インターネットラジオ受信装置間でエクスポート/インポートする機能を備えていない。このため、あるインターネットラジオ受信装置が保持しているステーションリスト中のステーションを、他のインターネットラジオ受信装置が保持しているステーションリストに登録する場合には、他のインターネットラジオ受信装置に登録したいステーションのステーションネームを電子メール等により転送し、他のインターネットラジオ受信装置において転送されたステーションネームでステーションを探索し、探索したステーションをステーションリストに登録するなどの煩雑な作業をユーザ自身が行うことが必要となってしまう。
【０００７】
そこで、本発明は、インターネットラジオ受信装置が保持しているステーションリスト中のステーションを、他のインターネットラジオ受信装置が保持しているステーションリストに容易に登録できるようにすることを課題とする。
【課題を解決するための手段】
【０００８】
前記課題達成のために、本発明は、インターネットラジオのステーションを登録したステーションリストを備え、ステーションリストに登録されているステーションの内からユーザによって選択されたステーションから配信される楽曲を受信するインターネットラジオ受信装置を接続可能であって、接続された前記インターネットラジオ受信装置が受信した楽曲を出力するＡＶ装置に、インポートステーションリストを格納する格納手段と、接続されているインターネットラジオ受信装置から、当該インターネットラジオ受信装置が保持しているステーションリストに登録されているステーションの識別を表す情報を、前記インポートステーションリストに読み込むステーション情報読込手段と、前記インポートステーションリストに登録されている前記情報に基づいて、当該情報が識別を表すステーションを、接続されているインターネットラジオ受信装置が保持しているステーションリストに登録するステーション登録手段とを設けたものである。
【０００９】
ここで、このようなＡＶ装置は、前記ステーション情報読込手段において、前記接続されているインターネットラジオ受信装置が保持しているステーションリストに登録されているステーションの一覧を表示し、当該表示した一覧中からのステーションの選択を受け付け、選択を受け付けたステーションの識別を表す情報を、前記インポートステーションリストに読み込むように構成してもよい。
【００１０】
また、このようなＡＶ装置は、前記ステーション登録手段において、前記インポートステーションリストに登録されている前記情報の一覧を表示し、当該表示した一覧中からの情報の選択を受け付け、選択を受け付けた情報が識別を表すステーションを、前記接続されているインターネットラジオ受信装置が保持しているステーションリストに登録するように構成してもよい。
【００１１】
また、これらのＡＶ装置は、前記ステーションの識別を表す情報を、当該ステーションのステーション名とし、前記ステーション登録手段において、前記接続されているインターネットラジオ受信装置が保持しているステーションリストへのステーションの登録を、当該インターネットラジオ受信装置に、前記インポートステーションリストに登録されているステーション名によるステーションの検索と、検索されたステーションの当該インターネットラジオ受信装置が保持している前記ステーションリストへの登録を実行させることにより行うように構成してもよい。また、この場合には、前記ステーション登録手段において、前記接続されているインターネットラジオ受信装置が実行したステーションの検索により検索されたステーションの一覧を表示し、当該表示した一覧中からステーションの選択を受け付け、当該インターネットラジオ受信装置に、選択を受け付けたステーションの、当該インターネットラジオ受信装置が保持している前記ステーションリストへの登録を実行させるようにしてもよい。
【００１２】
これらのＡＶ装置によれば、ユーザは、インターネットラジオ受信装置のステーションリスト中のステーションをＡＶ装置にエクスポートし、ＡＶ装置にエクスポートされたステーションを、ＡＶ装置から他のインターネットラジオ受信装置が保持しているステーションリストにインポートすることができるので、インターネットラジオ受信装置が保持しているステーションリスト中のステーションを、他のインターネットラジオ受信装置が保持しているステーションリストに、上述したようなユーザの煩雑な作業を必要とすることなしに容易に登録できるようになる。
【発明の効果】
【００１３】
以上のように、本発明によれば、インターネットラジオ受信装置が保持しているステーションリスト中のステーションを、他のインターネットラジオ受信装置が保持しているステーションリストに容易に登録できるようになる。
【図面の簡単な説明】
【００１４】
【図１】本発明の実施形態に係るインターネットラジオシステムの構成を示すブロック図である。
【図２】本発明の実施形態に係るＡＶ装置とスマートフォンの構成を示すブロック図である。
【図３】本発明の第１実施形態に係るステーションリストとインポートステーションリストを示す図である。
【図４】本発明の実施形態に係るＡＶ装置の表示画面を示す図である。
【図５】本発明の実施形態に係るサーチ処理と同期処理を示すフローチャートである。
【図６】本発明の実施形態に係るＡＶ装置の表示画面を示す図である。
【図７】本発明の実施形態に係るステーションの登録動作例を示す図である。
【発明を実施するための形態】
【００１５】
以下、本発明の実施形態について説明する。
図１に、本実施形態に係るインターネットラジオシステムの構成を示す。
図示するように、インターネットラジオシステムは、自動車に搭載されたＡＶ装置１と、ユーザによって携帯される、ＡＶ装置１に接続可能なスマートフォン２と、スマートフォン２が移動電話網などのＷＡＮ３を介してアクセス可能なインターネットラジオサーバ４とを備えている。
【００１６】
次に、図２に、ＡＶ装置１とスマートフォン２の構成を示す。
図示するように、ＡＶ装置１は、自動車に搭載される装置であり、図示するように、入力装置１０１、表示装置１０２、マイクやスピーカなどを備えた音声入出力装置１０３、無線インタフェース１０４、ＡＶ装置１のＯＳであるところのＨ-オペレーティングシステム１０５、Ｈ-オペレーティングシステム１０５上で稼働するアプリケーションであるＨ-ＡＰ、ＴＶ受信機やラジオチューナやＤＶＤプレイやなどのＡＶソース機器１０９、記録装置１１０等を備えている。
【００１７】
そして、ＡＶ装置１は、Ｈ-ＡＰとして、ＡＶソース機器１０９の制御やＡＶソース機器１０９が出力する映像、音声の表示装置１０２や音声入手力機器への出力処理を行うＡＶプレイヤアプリケーション１０６や、インターネットラジオクライアントアプリケーション１０７（以下、「ＩＲＣ１０７」と記す）や、その他のＨ-ＡＰ１０８を備えている。
【００１８】
次に、スマートフォン２は、操作部２０１、ディスプレイ２０２、マイクやスピーカなどを備えた音声入出力部２０３、無線インタフェース２０４、スマートフォン２のＯＳであるところのＳＰ-オペレーティングシステム２０５、ＳＰ-オペレーティングシステム２０５上で稼働するアプリケーションであるＳＰ-ＡＰ、記憶部２０９、移動電話網にアクセスするための移動通信装置２１０を備えている。
【００１９】
また、スマートフォン２は、ＳＰ-ＡＰとして、移動通信装置２１０や音声入出力部２０３や操作部２０１を用いた移動電話機能を提供する移動電話アプリケーション２０６や、インターネットラジオアプリケーション２０７（以下、「ＩＲ２０７」と記す）や、その他のＳＰ-ＡＰ２０８を備えている。
【００２０】
さて、ここで、ＡＶ装置１とスマートフォン２とは、ＡＶ装置１の無線インタフェース１０４とスマートフォン２の無線インタフェース２０４とを用いて、Bluetooth（登録商標）などの近距離無線通信によって相互通信可能に接続することができる。ただし、ＡＶ装置１とスマートフォン２とは、ＵＳＢなどの有線通信によって、相互通信可能に接続されるものであってもよい。
【００２１】
なお、以上のＡＶ装置１やスマートフォン２は、ハードウエア的には、ＣＰＵや、メモリや、その他の周辺デバイスを有する一般的な構成を備えたコンピュータを利用して構成されるものであり、ＡＶ装置１のＨ-オペレーティングシステムや各Ｈ-ＡＰや、スマートフォン２のＳＰ-オペレーティングシステムや各ＳＰ-ＡＰは、ＣＰＵが予め用意されたプログラムを実行することにより実現されるものである。
【００２２】
さて、以上のような構成において、インターネットラジオサーバ４は、楽曲と、インターネットラジオサーバ４が提供するステーション毎の楽曲のプレイリストを記憶している。また、インターネットラジオサーバ４は、各ステーション毎に、当該ステーションのステーションネーム、当該ステーションのステーションＩＤ、当該ステーションのプレイリストに登録された楽曲及び当該楽曲に関連する楽曲を表す関連ソング、当該ステーションのプレイリストに登録された楽曲のアーティスト、及び、当該楽曲や当該楽曲のアーティストに関連するアーティストを表す関連アーティストなどを、ステーション管理情報として管理している。
【００２３】
一方、スマートフォン２の記憶部２０９には、図３ａに示すような、ステーション毎のエントリを有するステーションリストが保持されており、ステーションリストの各ステーションのエントリには、ステーションの識別子であるステーションＩＤと、ステーションの名称であるステーションネームが登録されている。
【００２４】
そして、スマートフォン２のＩＲ２０７は、インターネットラジオサーバ４にアクセスして、受信ステーションとするステーション（ステーションは、インターネットラジオのラジオ局に相当）を当該ステーションのステーションＩＤによって指定し、インターネットラジオサーバ４から当該受信ステーションの楽曲としてストリーミング配信される楽曲をストリーミング再生して出力する。
【００２５】
一方、インターネットラジオサーバ４は、スマートフォン２のＩＲ２０７から受信ステーションのステーションＩＤとして指定されたステーションＩＤのステーションに対して設けられているプレイリストに登録されている各楽曲を順次ストリーミング配信する。また、インターネットラジオサーバ４は、ＩＲ２０７に配信する楽曲のアートワーク（通常は、当該楽曲のジャケット写真）や当該楽曲のタイトルやアルバムやアーティストなどの楽曲情報も当該ＩＲ２０７に配信する。
さて、スマートフォン２で実行されるＩＲ２０７は、スマートフォン２がＡＶ装置１に接続されていないときには、スマートフォン２自身が備える音声入出力部２０３を用いて、ストリーミング配信された楽曲の出力を行う。また、ＩＲ２０７は、スマートフォン２自身が備える操作部２０１やディスプレイ２０２を用いたＧＵＩをユーザに提供し、当該ＧＵＩで受け付けたユーザ操作に応じて、その動作を行う。すなわち、ＩＲ２０７は、たとえば、ステーションリストに登録されているステーションネームの一覧をディスプレイ２０２に表示し、表示したステーションネームの一覧上でステーションの選択をユーザから操作部２０１を介して受け付け、選択を受け付けたステーションのステーションＩＤを上述した受信ステーションのステーションＩＤとしてインターネットラジオサーバ４に指定する動作や、操作部２０１を介して受け付けたユーザ操作に応じて、インターネットラジオサーバ４より、ユーザが指定した条件を満たすステーションのステーションＩＤやステーションネームの情報を取得し、ステーションリストに登録する動作などを行う。
【００２６】
一方、ＡＶ装置１のＩＲＣ１０７は、ＡＶ装置１にスマートフォン２が接続されたときに、スマートフォン２で実行されるアプリケーションであるＩＲ２０７のＧＵＩやオーディオ出力を、ＡＶ装置１の入力装置１０１や表示装置１０２や音声入出力装置１０３を用いて代行するためのアプリケーションである。
【００２７】
すなわち、スマートフォン２のＩＲ２０７はスマートフォン２がＡＶ装置１に接続されているときには、ストリーミング配信された楽曲を、ＡＶ装置１のＩＲＣ１０７に送り、ＡＶ装置１のＩＲＣ１０７は、受け取った楽曲を音声入出力装置１０３から出力する。また、ＡＶ装置１のＩＲＣ１０７は、スマートフォン２のＩＲ２０７から必要な情報を取得しつつ、ＡＶ装置１の表示装置１０２や入力装置１０１を用いたＩＲ２０７用のＧＵＩをユーザに提供し、当該ＧＵＩで受け付けたユーザ操作を、スマートフォン２のＩＲ２０７に通知する。そして、スマートフォン２のＩＲ２０７は、通知されたユーザ操作に応じて、その動作を行う。
【００２８】
以下、スマートフォン２がＡＶ装置１に接続されている状態におけるＡＶ装置１のＩＲＣ１０７とスマートフォン２のＩＲ２０７の動作について説明する。
まず、ＡＶ装置１において、ＩＲＣ１０７が起動されると、ＩＲＣ１０７は、スマートフォン２のＩＲ２０７からスマートフォン２の記憶部２０９に保持されているステーションリストの情報を取得する。
そして、図４ａに示すようなステーションメニューを表示装置１０２に表示し、ステーションメニューの操作を入力装置１０１を介して受け付ける。ここで、ステーションメニューには、情報を取得したステーションリストに登録されているステーションネームの一覧４０１が表示される。ユーザは、このステーションネームの一覧４０１から、所望のステーションを受信ステーションとして選択して、当該ステーションでインターネットラジオサーバ４が配信する楽曲を受信することができる。すなわち、ＩＲＣ１０７は、ステーションメニューでユーザによって選択されたステーションをスマートフォン２のＩＲ２０７に通知し、スマートフォン２のＩＲ２０７は、通知されたステーションのステーションＩＤを、上述した受信ステーションのステーションＩＤとしてインターネットラジオサーバ４に指定する。
【００２９】
ここで、ステーションメニューには、楽曲情報画面呼出ボタン４０２と、ステーションネームの一覧４０１に含まれる各ステーションネーム毎に設けられたインポートボタン４０３と、同期ボタン４０４、ＦＩＮＤボタン４０５も設けられている。
ＡＶ装置１のＩＲＣ１０７は、図４ａのステーションメニューのＦＩＮＤボタン４０５が操作されたならば、図４ｂに示すようなサーチメニューを表示装置１０２に表示し、サーチメニューの操作を入力装置１０１を介して受け付ける。サーチメニューには、ソングとアーティストとステーションネームとのカテゴリの内からサーチカテゴリとするカテゴリの選択を受け付けるためのサーチカテゴリリスト４１１と、キーワードとする文字列の入力を受け付けるためのキーワード入力ボックス４１２と、サーチボタン４１３と、図４ａのステーションメニューを呼び出すためのステーションメニュー呼出ボタン４１４が設けられている。
【００３０】
そして、サーチボタン４１３が操作されたならば、ＡＶ装置１のＩＲＣ１０７は、サーチカテゴリリスト４１１で選択されたカテゴリをサーチカテゴリ、キーワード入力ボックス４１２に入力された文字列をキーワードとし、図５ａに示すサーチ処理を行う。
すなわち、ＡＶ装置１のＩＲＣ１０７は、サーチ処理において、サーチカテゴリ、キーワードを指定したサーチ実行要求をスマートフォン２のＩＲ２０７に発行する（ステップ５０２）。
サーチ実行要求を受けたスマートフォン２のＩＲ２０７は、サーチカテゴリ、キーワードを指定したサーチ要求をインターネットラジオサーバ４に発行し、インターネットラジオサーバ４は、サーチ要求で指定されたサーチカテゴリの情報がキーワードに類似するステーションをステーション管理情報を参照して探索し、探索したステーションのステーションネームとステーションＩＤをスマートフォン２のＩＲ２０７に探索結果ステーション情報として応答する。なお、インターネットラジオサーバ４は、サーチカテゴリをステーションＩＤとするサーチ、すなわち、ステーションＩＤによるステーションの検索機能は、これをスマートフォン２のＩＲ２０７に提供していない。
【００３１】
ここで、サーチ要求で指定されたサーチカテゴリの情報がキーワードに類似するステーションとは、サーチカテゴリがステーションネームであれば、ステーション管理情報が示すステーションネームが、キーワードに所定レベル以上マッチするステーションであり、サーチカテゴリがソングであればステーション管理情報が示す関連ソングがキーワードに所定レベル以上マッチするステーションであり、サーチカテゴリがアーティストであればステーション管理情報が示す関連アーティストがキーワードに所定レベル以上マッチするステーションである。
【００３２】
そして、探索結果ステーション情報を受け取ったスマートフォン２のＩＲ２０７は、探索結果ステーション情報をＡＶ装置１のＩＲＣ１０７に送り、探索結果ステーション情報を受け取ったＡＶ装置１のＩＲＣ１０７は（ステップ５０４）、図４ｃに示すようなステーション追加メニューを表示し、ステーション追加メニューの操作を入力装置１０１を介して受け付ける（ステップ５０６）。
【００３３】
図４ｃに示すように、ステーション追加メニューは、探索結果ステーション情報に含まれるステーションネームの一覧を表す探索結果ステーション一覧４２１と、探索結果ステーション一覧４２１中の各ステーションネーム毎に設けられた追加ボタン４２２と、キャンセルボタン４２３を備えており、ＡＶ装置１のＩＲＣ１０７は、キャンセルボタン４２３が操作されたならば（ステップ５０８）、ステーションメニューの表示に戻り（ステップ５１８）、サーチ処理を終了する。一方、ステーション追加メニューの追加ボタン４２２が操作されたならば（ステップ５１０）、操作された追加ボタン４２２に対応するステーションネームのステーションの追加をスマートフォン２のＩＲ２０７に要求する（ステップ５１２）。
【００３４】
ステーションの追加を要求されたスマートフォン２のＩＲ２０７は、図３ａに示したステーションリストに新たなエントリを作成し、追加を要求されたステーションの、探索結果ステーション情報に含まれるステーションネームとステーションＩＤを作成したエントリに登録し、追加完了をＡＶ装置１のＩＲＣ１０７に応答する。
【００３５】
そして、追加完了を応答された、ＡＶ装置１のＩＲＣ１０７は（ステップ５１４）、スマートフォン２からステーションリストの情報を再取得し（ステップ５１６）、再取得したステーションリストの情報に基づいて、図４ａに示すようなステーションメニューを表示装置１０２に表示し（ステップ５１８）、サーチ処理を終了する。
【００３６】
ただし、以上のサーチ処理では、ＡＶ装置１のＩＲＣ１０７は、スマートフォン２のＩＲ２０７から受け取った探索結果ステーション情報に（ステップ５０４）、一つのステーションの情報しか含まれていないときには、ステーション追加メニューを表示することなしに、無条件に、当該一つのステーションの追加をスマートフォン２のＩＲ２０７に要求して、当該一つのステーションをスマートフォン２のステーションリストに追加登録するようにしてもよい。
【００３７】
一方、ＡＶ装置１のＩＲＣ１０７は、図４ａのステーションメニューの楽曲情報画面呼出ボタン４０２が操作されたならば、または、上述したＩＲ２０７の受信ステーションのステーションＩＤの指定に応答してインターネットラジオサーバ４から当該受信ステーションの楽曲の配信が開始されたならば、図４ｄに示すような楽曲情報画面を表示装置１０２に表示し、楽曲情報画面の操作を入力装置１０１を介して受け付ける。
【００３８】
この楽曲情報画面には、図４ａのステーションメニューを呼び出すためのステーションメニュー呼出ボタン４３１、出力中の楽曲の情報４３２が表示される。ここで、楽曲の情報４３２としては、インターネットラジオサーバ４から楽曲と共に配信される、出力中の楽曲に関連づけられたアートワーク（通常は、当該楽曲のジャケット写真）、当該楽曲のタイトルやアルバムやアーティストなどの楽曲情報を表示する。
【００３９】
また、楽曲情報画面には、ソング関連ステーション新規作成ボタン４３３、アーティスト関連ステーション新規作成ボタン４３４と、楽曲の再生/一時停止を切り替えるためのボタン４３５、インターネットラジオサーバ４からストリーミング配信を受ける楽曲を一つ次の楽曲に切り替える（スキップする）ためのスキップボタン４３６などが設けられている。
【００４０】
ここで、ＡＶ装置１のＩＲＣ１０７は、楽曲情報画面でユーザによってソング関連ステーション新規作成ボタン４３３が操作されると、サーチカテゴリをソング、キーワードを現在出力中の楽曲名とする上述したサーチ処理を行い、アーティスト関連ステーション新規作成ボタン４３４が操作されると、サーチカテゴリをアーティスト、キーワードを現在出力中の楽曲のアーティスト名とする上述したサーチ処理を行う。
【００４１】
ところで、スマートフォン２がＡＶ装置１に接続されていないときのＩＲ２０７の動作は、以上の動作においてＩＲＣ１０７が行っていた動作をＩＲ２０７が自身で行うものと同様の動作となる。ただし、スマートフォン２がＡＶ装置１に接続されていないときには、ＩＲ２０７は、ステーションメニューやサーチメニューやステーション追加メニューや楽曲情報画面の表示をスマートフォン２のディスプレイ２０２に対して行い、その操作を操作部２０１において受け付ける。また、ＩＲ２０７が表示するステーションメニューにインポートボタン４０３と同期ボタン４０４は設けられていない。
【００４２】
ここで、ＡＶ装置１の記録装置１１０にはインポートステーションリストが格納されている。図３ｂに示すようにインポートステーションリストには、ステーション毎のエントリを設けることができ、各エントリには、ステーションの識別子であるステーションＩＤと、ステーションの名称であるステーションネームと、ステーションのインポート元が登録される。ここで、インポート元にはスマートフォン２の識別が登録される。
【００４３】
さて、ＡＶ装置１のＩＲＣ１０７は、図４ａのステーションメニューのインポートボタン４０３が操作されたならば、図３ｂのインポートステーションリストに新たなエントリを作成する、そして、ステーションネームの一覧４０１中の、操作されたインポートボタン４０３に対応するステーションネームのステーションの、ステーションＩＤとステーションネームとを、取得してあるステーションリストの情報より抽出し、作成したエントリに登録する。また、ステーションリストの情報を取得したスマートフォン２の識別を、作成したエントリのインポート元に登録する。
【００４４】
次に、ＡＶ装置１のＩＲＣ１０７は、図４ａのステーションメニューの同期ボタン４０４が操作されたならば、図５ｂに示す同期処理を実行する。
図５ｂに示すように、この同期処理では、まず、図６に示すエクスポートステーションメニューを表示装置１０２に表示し、インポートステーションメニューの入力装置１０１を介した操作を受け付ける（ステップ５５２）。
図６に示すように、エクスポートステーションメニューには、図３ｂのインポートステーションリストに登録されているステーションネームの一覧６０１と、ステーションネームの一覧中の各ステーションネームに対応して設けられたサーチボタン６０２と、キャンセルボタン６０３が配置されている。
【００４５】
ただし、ＡＶ装置１のＩＲＣ１０７は、インポートステーションリストに登録されているステーションのうちの、ステーションＩＤとステーションネームが、当該時点で接続されているスマートフォン２から最後に取得したステーションリストの情報に含まれるステーションＩＤとステーションネームと一致するステーションについては、サーチ不要ステーションとして、ステーションネームの一覧６０１に含まれるサーチ不要ステーションのステーションネームに対応するサーチボタン６０２の操作は受け付けない。また、この操作を受け付けないサーチボタン６０２は操作不能であることが視認できるように、他のサーチボタン６０２とは異なった形態で表示する。図６では「ＰＰラジオ」のステーションネームのステーションがサーチ不要ステーションであり、図示するように、「ＰＰラジオ」に対応するサーチボタン６０２を輝度を低下して表示している。
【００４６】
そして、キャンセルボタン６０３が操作されたならば（ステップ５５４）、図４ａステーションメニューの表示に戻り（ステップ５６０）、同期処理を終了する。
一方、サーチボタン６０２の操作を受け付けた場合には（ステップ５５６）、操作されたサーチボタン６０２に対応するステーションネームをキーワード、ステーションネームをサーチカテゴリに設定し、図５ａのサーチ処理を起動し（ステップ５５８）、同期処理を終了する。ここで、このように、操作されたサーチボタン６０２に対応するステーションネームをキーワード、ステーションネームをサーチカテゴリとして起動されたサーチ処理では、上述のサーチ処理の動作によって、操作されたサーチボタン６０２に対応するステーションネームのステーションを、接続されているスマートフォン１のステーションリストに登録可能となる。
【００４７】
以上、スマートフォン２がＡＶ装置１に接続されている状態におけるスマートフォン２のＩＲ２０７と、ＡＶ装置１のＩＲＣ１０７の動作について説明した。
このような動作によれば、たとえば、図７に示すように、ＡＶ装置１のインポートステーションリスト７０１にスマートフォンＣからインポートしたＫＫラジオのみが登録されている状態で、ＡＡラジオ、ＢＢラジオ、ＣＣラジオが登録されているステーションリストを保持しているスマートフォンＡがＡＶ装置１に接続され、ＡＶ装置１のＩＲＣ１０７が起動されると、ＡＶ装置１のＩＲＣ１０７は、スマートフォンＡよりステーションリスト７１１の情報を取得し、ＡＶ装置１の表示装置１０２に、ＡＡラジオ、ＢＢラジオ、ＣＣラジオの一覧を含むステーションメニュー８０１を表示する。
【００４８】
そして、ユーザによって、ステーションメニュー８０１のＢＢラジオに対応するインポートボタン４０３が操作されると、ＡＶ装置１のＩＲＣ１０７は、ＢＢラジオをインポートステーションリストに追加登録し、結果、ＡＶ装置１のインポートステーションリストは７０２に示すように、ＫＫラジオに加えＢＢラジオが追加登録されたものとなる。
【００４９】
その後、スマートフォンＡがＡＶ装置１から取り外された後に、ＸＸラジオ、ＹＹラジオが登録されているステーションリスト７２１を保持しているスマートフォンＢがＡＶ装置１に接続され、ＡＶ装置１のＩＲＣ１０７が起動されると、ＡＶ装置１のＩＲＣ１０７は、スマートフォンＢよりステーションリスト７２１の情報を取得し、ＡＶ装置１の表示装置１０２に、ＸＸラジオ、ＹＹラジオの一覧を含むステーションメニュー８０２を表示する。
【００５０】
そして、ユーザによって、ステーションメニュー８０２の同期ボタン４０４が操作されると、ＡＶ装置１のＩＲＣ１０７は、この時点のインポートステーションリスト７０２に登録されている、ＫＫラジオ、ＢＢラジオの一覧を含むエクスポートステーションメニュー８０３を表示する。
【００５１】
また、このエクスポートステーションメニュー８０３のＢＢラジオに対応するサーチボタン６０２が操作されると、ＡＶ装置１のＩＲＣ１０７は、スマートフォンＢのＩＲ２０７を介して、サーチカテゴリをステーションネーム、キーワードをＢＢラジオとするサーチ要求をインターネットラジオサーバ４に発行する。そして、サーチ要求の応答として、ＢＢＡラジオとＢＢラジオとを含む検索結果ステーション情報が、スマートフォンＢのＩＲ２０７を介して、インターネットラジオサーバ４から送られてきたならば、ＡＶ装置１のＩＲＣ１０７は、ＢＢＡラジオ、ＢＢラジオの一覧を含むステーション追加メニュー８０４を表示する。
【００５２】
そして、ＡＶ装置１のＩＲＣ１０７は、ステーション追加メニュー８０４のＢＢラジオに対応する追加ボタン４２２が操作されたならば、スマートフォンＢのＩＲ２０７に、スマートフォンＢのステーションリストにＢＢラジオを追加させる。この結果、スマートフォンＢのステーションリストは、７２２に示すように、ＸＸラジオ、ＹＹラジオに加えてＢＢラジオが追加されたものとなる。
【００５３】
結果、スマートフォンＡのステーションリスト７１１に登録されていたＢＢラジオが、ＡＶ装置１を介して、スマートフォンＢのステーションリスト７２２に登録されたこととなる。
そして、ＡＶ装置１のＩＲＣ１０７は、その後、スマートフォンＢよりステーションリスト７２２の情報を再取得し、ＡＶ装置１の表示装置１０２に、ＸＸラジオ、ＹＹラジオ、ＢＢラジオの一覧を含むステーションメニュー８０５を表示する。
以上、本発明の実施形態について説明した。
以上のように、本実施形態によれば、ユーザは、スマートフォン２のステーションリスト中のステーションを、ユーザの煩雑な作業を必要とすることなく、他のスマートフォン２が保持しているステーションリストに容易に登録できるようになる。また、ＡＶ装置２のＩＲＣ１０７やスマートフォン２のＩＣ２０７が元々備えているステーションのサーチ機能を利用してスマートフォン２間のステーションのエクスポート/インポートを実現するので、スマートフォン２のＩＣ２０７に特段の機能追加が必要となることはなく、また、ＡＶ装置２のＩＲＣ１０７の機能追加も僅かで済む。
【００５４】
ところで、以上の実施形態では、ＡＶ装置１において、任意のスマートフォン２のステーションリストにインポートステーションリストに登録されているステーションを登録できるようにしたが、これは、予めＡＶ装置１に登録した特定のスマートフォン２（たとえば、ＡＶ装置１の所有者のスマートフォン２）のステーションリストにのみ、インポートステーションリストに登録されているステーションを登録できるようにしてもよい。また、この場合には、当該特定のスマートフォン２以外のスマートフォン２からインポートステーションリストにインポートしたステーション（インポートステーションリストのインポート元に特定のスマートフォン２の識別子以外の識別子が登録されているステーション）のみを、特定のスマートフォン２のステーションリストに登録できるようにしてもよい。
【００５５】
また、以上では、ＡＶ装置１に接続されるインターネットラジオ受信装置がスマートフォン２である場合について説明したが、本実施形態は、ＡＶ装置１に接続されるインターネットラジオ受信装置がスマートフォン２以外の任意の装置である場合に同様に適用することができる。
【符号の説明】
【００５６】
１…ＡＶ装置、２…スマートフォン、３…ＷＡＮ、４…インターネットラジオサーバ、１０１…入力装置、１０２…表示装置、１０３…音声入出力装置、１０４…無線インタフェース、１０５…Ｈ-オペレーティングシステム、１０６…ＡＶプレイヤアプリケーション１０７…インターネットラジオクライアントアプリケーション（ＩＲＣ）、１０８…他Ｈ-ＡＰ、１０９…ＡＶソース機器、１１０…記録装置、２０１…操作部、２０２…ディスプレイ、２０３…音声入出力部、２０４…無線インタフェース、２０５…ＳＰ-オペレーティングシステム、２０６…移動電話アプリケーション、２０７…インターネットラジオアプリケーション（ＩＲ）、２０８…他ＳＰ-ＡＰ、２０９…記憶部、２１０…移動通信装置。
【図１】
0005642012.tif 000002
【図２】
0005642012.tif 000003
【図３】
0005642012.tif 000004
【図４】
0005642012.tif 000005
【図５】
0005642012.tif 000006
【図６】
0005642012.tif 000007
【図７】
0005642012.tif 000008